(57)【要約】【課題】ユーザビリティ及びコストパフォーマンスの向上を図りつつ、記録材の特徴量を抽出し、精度の高い記録材判別を行うことができ、様々な種類の記録材においても最適な現像条件、転写条件あるいは定着処理条件で、現像処理、転写処理あるいは定着処理を施し良好な画像を得ることができる記録材判別装置及び画像形成装置を提供する。【解決手段】記録材１０４の裏面に光を照射する透過用ＬＥＤ１０５と、記録材１０４の透過用ＬＥＤ１０５による光照射領域内を映像として読み取り出力するＣＭＯＳエリアセンサ１０２とを備え、遮蔽板１０６によりＣＭＯＳエリアセンサ１０２の撮影範囲内の一部にのみ透過ＬＥＤ１０５の光を照射し、ＣＭＯＳエリアセンサ１０２の出力を２値に変換し、記録材の有無による光拡散度の違いから、記録材の種類を判別する構成とする。【選択図】図１
2008164964.tif 000002
【特許請求の範囲】
【請求項１】
記録材の表面を映像として撮影し、複数画素を有するデータを出力する映像読取手段と、前記記録材を挟んで前記映像読取手段の対向にあって光を照射する光照射手段とを備えた記録材判別装置において、
前記光照射手段は、前記映像読取手段が撮影する領域の一部にのみ光を照射し、
前記映像読取手段が取得した映像から前記記録材の特徴量を抽出する抽出手段と、
前記抽出手段により抽出された前記特徴量に基づいて前記記録材の種類を判別する判別手段と、を備えることを特徴とする記録材判別装置。
【請求項２】
請求項１に記載の記録材判別装置において、
前記抽出手段は、前記映像読取手段と前記光照射手段との間に記録材を配置せずに前記映像読取手段により撮影し取得された映像の明部と暗部との比率を記録材無し光拡散度特性とし、前記映像読取手段と前記光照射手段との間に記録材を配置し前記映像読取手段により撮影し取得された映像の明部と暗部との比率を記録材有り光拡散度特性とし、前記記録材無し光拡散度特性と前記記録材有り光拡散度特性との比率により当該記録材の光拡散率特性を算出し、
前記判別手段は、前記光拡散率特性を前記特徴量として、前記記録材の種類を判別することを特徴とする記録材判別装置。
【請求項３】
請求項１または２に記載の記録材判別装置において、
前記光照射手段は、赤外光の発光素子を光源とすることを特徴とする記録材判別装置。
【請求項４】
請求項１乃至３のいずれかに記載の記録材判別装置において、
更に、前記光照射手段から照射される光を遮蔽する遮蔽手段を有し、前記遮蔽手段により前記映像読取手段が撮影する領域の一部にのみ光を照射することを特徴とする記録材判別装置。
【請求項５】
請求項２に記載の記録材判別装置において、
前記抽出手段は、前記記録材無し光拡散度特性に基づき記録材無し透過光量特性を算出し、前記記録材有り光拡散度特性に基づき記録材有り透過光量特性を算出し、前記記録材無し透過光量特性と前記記録材有り透過光量特性との比率により当該記録材の光透過率特性を算出し、
前記判別手段は、前記光透過率特性を前記特徴量として、前記記録材の種類を判別することを特徴とする記録材判別装置。
【請求項６】
請求項２に記載の記録材判別装置において、
前記抽出手段は、前記記録材無し光拡散度特性に基づき記録材無し透過光量特性を算出し、前記記録材有り光拡散度特性に基づき記録材有り透過光量特性を算出し、前記記録材無し透過光量特性と前記記録材有り透過光量特性との比率により当該記録材の光透過率特性を算出し、
前記判別手段は、前記光拡散率特性および前記光透過率特性を前記特徴量として、前記記録材の種類を判別することを特徴とする記録材判別装置。
【請求項７】
潜像担持体に潜像を形成する露光手段と、前記潜像担持体に現像剤を付与することにより前記潜像を現像剤像として可視化する現像手段と、記録材に前記現像手段による前記現像剤像を転写する転写手段と、前記転写手段によって前記記録材に転写された前記現像剤像を加熱及び加圧することにより前記記録材に定着させる定着手段と、請求項１乃至６のいずれかに記載の記録材判別装置とを備える画像形成装置において、
前記記録材判別装置による前記記録材の種類の判別結果に基づき、前記露光手段、前記現像手段、前記転写手段、または前記定着手段、の動作条件を設定することを特徴とする画像形成装置。
【発明の詳細な説明】
【技術分野】
【０００１】
本発明は、記録材判別装置及び画像形成装置に関し、特に、記録材の坪量を検出する検出装置並びに記録材の坪量の検出結果から画像処理条件を制御するインクジェットプリンタ、複写機、レーザープリンタ等の画像形成装置に関するものである。
【背景技術】
【０００２】
複写機、レーザープリンタ等の画像形成装置は、潜像を担持する潜像担持体と、前記潜像担持体に現像剤を付与することにより前記潜像を現像剤像として可視化する現像装置（現像手段）とを備える。また、所定方向に搬送される記録材に前記現像装置による前記現像剤像を転写する転写手段を備える。さらに、前記転写手段によって前記現像剤像の転写を受けた前記記録材を所定の定着処理条件にて加熱及び加圧することにより前記現像剤像を前記記録材に定着させる定着装置（定着手段）を備えている。
【０００３】
従来、かかる画像形成装置においては、例えば、画像形成装置本体に設けられた操作パネル等に記録材のサイズや種類（以下、紙種ともいう）がユーザによって設定される。そして、その設定に応じて現像条件、転写条件あるいは定着処理条件（例えば、定着温度や定着装置を通過する記録材の搬送速度）又は画像処理を変える制御を行う。又はホストコンピュータからユーザが印字時に紙種を設定することにより、画像形成装置は指定された紙種に応じて、現像条件、転写条件あるいは定着処理条件又は画像処理を変える制御を行う。
【０００４】
また特許文献１において次のような発明が提案されている。まず記録材の表面映像をＣＭＯＳセンサによって撮像し、表面映像の、最大濃度のピクセルＤｍａｘと、最低濃度のピクセルＤｍｉｎと、ＤｍａｘとＤｍｉｎの差であるコントラストとを導き、このコントラストによって記録材の種類を判別する。画像形成装置は記録材の種類によって、現像条件、転写条件あるいは定着条件を可変制御する。
【０００５】
さらに、前記記録材を判別するセンサに対向する位置に発光源を設け、透過光を検出することにより、透過率による記録材の判別を行う装置が提案されている。
【特許文献１】特開２００２−１８２５１８号公報
【発明の開示】
【発明が解決しようとする課題】
【０００６】
しかしながら、上述の従来の画像形成装置では、次のような課題がある。
【０００７】
この記録材判別は、記録材の有無による透過光量の差から透過率を算出し記録材の判別を行っているものの、ユーザが使用する記録材は多種存在するため、使用される記録材によっては特徴を正確に抽出できず誤判別する場合が発生していた。
【０００８】
本発明は、以上の点に着目して成されたもので、記録材の特徴を正確に抽出し、精度の高い記録材判別を行うことのできる記録材判別装置の提供を目的とする。また、様々な条件下においても最適な電子写真プロセスで処理を施し良好な画像を得ることができる画像形成装置の提供を目的とする。
【課題を解決するための手段】
【０００９】
前記課題を解決するために、本発明の記録材判別装置及び画像形成装置は、以下の構成を備える。
【００１０】
（１）記録材の表面を映像として撮影し、複数画素を有するデータを出力する映像読取手段と、前記記録材を挟んで前記映像読取手段の対向にあって光を照射する光照射手段とを備えた記録材判別装置において、前記光照射手段は、前記映像読取手段が撮影する領域の一部にのみ光を照射し、前記映像読取手段が取得した映像から前記記録材の特徴量を抽出する抽出手段と、前記抽出手段により抽出された前記特徴量に基づいて前記記録材の種類を判別する判別手段と、を備えることを特徴とする記録材判別装置。
【００１１】
（２）潜像担持体に潜像を形成する露光手段と、前記潜像担持体に現像剤を付与することにより前記潜像を現像剤像として可視化する現像手段と、記録材に前記現像手段による前記現像剤像を転写する転写手段と、前記転写手段によって前記記録材に転写された前記現像剤像を加熱及び加圧することにより前記記録材に定着させる定着手段と、前記（１）に記載の記録材判別装置とを備える画像形成装置において、前記記録材判別装置による前記記録材の種類の判別結果に基づき、前記露光手段、前記現像手段、前記転写手段、または前記定着手段、の動作条件を設定することを特徴とする画像形成装置。
【発明の効果】
【００１２】
本発明によれば、記録材の坪量の高精度な抽出が可能となった。その結果、記録材判別精度の向上が可能となり、本発明を用いた記録材判別装置を搭載した画像形成装置は、記録材に依存しない安定した画質を得ることができる効果がある。これは、記録材の厚みに応じて、画像処理や、現像バイアス、定着ユニットの温度制御値あるいは記録材搬送速度を可変制御することにより得られるものである。
【発明を実施するための最良の形態】
【００１３】
以下本発明を実施するための最良の形態を、実施例により詳しく説明する。
【実施例１】
【００１４】
図１は、記録材の透過光量検出を行う映像読取センサの概略構成を示す模式的断面図で、本発明を最もよくあらわす図である。
【００１５】
図１に示すように、映像読取センサ１０１は、透過光量検出用の光照射手段であり発光素子である透過用ＬＥＤ１０５と、映像読取手段たるＣＭＯＳエリアセンサ１０２と、結像レンズたるレンズ１０３を有している。ここで、透過用ＬＥＤ１０５は、記録材１０４に対して反対側に設置される。また、ＣＭＯＳエリアセンサ１０２はＣＣＤセンサでもよい。透過用ＬＥＤ１０５を光源とする光は、記録材１０４裏面に対し照射される。
【００１６】
記録材１０４の透過光は、レンズ１０３を介し集光されてＣＭＯＳエリアセンサ１０２に結像される。これによって記録材１０４の映像を読み取る。
【００１７】
本実施例では、図１に示すように遮蔽板１０６（遮蔽手段に相当）は、映像読取センサ１０１の撮影範囲の半分を遮蔽する位置に配置されている。
【００１８】
図２は、映像読取センサ１０１のＣＭＯＳエリアセンサ１０２によって読み取られる記録材１０４の表面とＣＭＯＳエリアセンサ１０２からの出力を８×８ピクセルにディジタル処理した例との関係を示す図である。
【００１９】
前記ディジタル処理は、ＣＭＯＳエリアセンサ１０２からのアナログ出力を変換手段たるＡ／Ｄ変換（図示せず）によって８ビットのピクセルデータに変換することによって行われる。
【００２０】
図２において、２０は、記録材の厚みにおいて比較的薄く記録材裏面からの光が透過しやすいいわゆる薄紙の記録材Ａの拡大映像である。２１は、一般のオフィスで普通に使用されるいわゆる普通紙の記録材Ｂの拡大映像であり、２２は、紙の繊維の圧縮が十分になされている厚紙の記録材Ｃの拡大映像である。
【００２１】
ＣＭＯＳエリアセンサ１０２に読み込まれたこれらの映像２０〜２２が、ディジタル処理され図２に示す映像２３〜２５となる。
【００２２】
このように、記録材の種類によって、裏面からの光の透過量は異なる。
【００２３】
このとき、ＣＭＯＳエリアセンサ１０２のエリア全体、若しくは所定の範囲におけるそれぞれの画素に入力された光の合計値若しくは平均値から透過光量を判断する。このとき複数の受光画素のうちひとつだけの結果を用いても良い。
【００２４】
図３に坪量と透過光量（センサ出力）の関係図を示す。例えば、厚紙のように坪量の大きい記録材は透過光量が少なく、一方薄紙のような坪量の小さい記録材は透過光量が多い。これは、主に紙の表面における繊維の状態及び紙の繊維の圧縮状態が異なるために起こる現象である。
【００２５】
次に、図４に示すＣＭＯＳエリアセンサ１０２の制御回路ブロック図について説明する。
【００２６】
図中、５０１は判断部であるＣＰＵ（判別手段に相当）、５０２は制御回路、１０２はＣＭＯＳエリアセンサ、５０４はインターフェース制御回路、５０５は演算回路（抽出手段に相当）である。また、５０６は演算結果がセットされるレジスタＡ〜Ｄ、５０７は制御レジスタ、５０８は自動２値化回路である。
【００２７】
次に動作について説明する。ＣＰＵ５０１は制御レジスタ５０７に対して、ＣＭＯＳエリアセンサ１０２の動作指示を与えると、ＣＭＯＳエリアセンサ１０２によって記録材表面映像の撮像が開始される。つまり、ＣＭＯＳエリアセンサ１０２に電荷の蓄積が開始される。
【００２８】
インターフェース制御回路５０４から、Ｓｌ＿ｓｅｌｅｃｔ信号によってＣＭＯＳエリアセンサ１０２を選択し、所定のタイミングにてＳＹＳＣＬＫ信号を生成する。ＳＹＳＣＬＫ信号を生成すると、ＣＭＯＳエリアセンサ１０２からＳｌ＿ｏｕｔ信号を経由して、撮像されたディジタル映像データが送信される。
【００２９】
インターフェース制御回路５０４を経由して受信した撮像データは、制御回路５０２にて後述する第一の演算方法に基づき演算され、その結果が記録材の光拡散度特性としてレジスタＡ  ５０６にセットされる。ＣＰＵ５０１は、前記レジスタＡの値から、記録材の坪量を判断する。
【００３０】
上述のＣＰＵ５０１は、ＣＭＯＳエリアセンサ１０２からの映像サンプリング処理、ゲイン及び演算処理をリアルタイムにて処理する必要があるため、ディジタルシグナルプロセッサを用いることが望ましい。
【００３１】
次に図５を用いて説明する。図５は、ＣＭＯＳエリアセンサ１０２の回路ブロック図を示した図である。
【００３２】
図５中、６０１はＣＭＯＳセンサ部であり、例えば８×８画素分のＣＭＯＳセンサがエリア状に配置される。６０２及び６０３は垂直方向シフトレジスタ、６０４は出力バッファ、６０５は水平方向シフトレジスタ、６０６はシステムクロック（以下、ＳＹＳＣＬＫとする）信号、６０７はタイミングジェネレータである。
【００３３】
次に動作について説明する。
【００３４】
Ｓｌ＿ｓｅｌｅｃｔ信号６１３をアクティブとすると、ＣＭＯＳセンサ部６０１は受光した光に基づく電荷の蓄積を開始する。次に、ＳＹＳＣＬＫ信号６０６を与えると、タイミングジェネレータ６０７によって、垂直方向シフトレジスタ６０２及び６０３は読みだす画素の列を順次選択し、出力バッファ６０４にデータを順次セットする。
【００３５】
出力バッファ６０４にセットされたデータは、水平方向シフトレジスタ６０５によって、Ａ／Ｄコンバータ６０８ヘと転送される。Ａ／Ｄコンバータ６０８でディジタル変換された画素データは、出力インターフェース制御回路６０９によって所定のタイミングで制御されて、Ｓｌ＿ｓｅｌｅｃｔ信号６１３がアクティブの期間、Ｓｌ＿ｏｕｔ信号６１０に出力される。
【００３６】
一方、６１１の制御回路によって、Ｓｌ＿ｉｎ信号６１２よりＡ／Ｄコンバータ６０８のＡ／Ｄ変換ゲインが可変制御できる。
【００３７】
例えば、撮像した映像のコントラストが得られない場合は、ＣＰＵ５０１はＡ／Ｄコンバータ６０８のＡ／Ｄ変換ゲインを大きくすることによりコントラストを増加させ、常に最良なコントラストで撮像することができる。
【００３８】
次に図６を用いて、第一の演算方法である記録材の光拡散率（光拡散率特性に相当）演算方法について説明する。図６において、画像７０〜７２は記録材の表面の映像をディジタル処理した画像である。７０は、記録材の坪量が比較的大きく、紙の繊維の圧縮が十分になされている厚紙の透過光映像である。７１は、一般のオフィスで普通に使用されるいわゆる普通紙の透過光映像であり、７２は、記録材が映像読取センサ１０１の撮影範囲内に記録材が存在しない場合の透過光映像である。
【００３９】
ＣＭＯＳエリアセンサ１０２のＣＭＯＳセンサ部６０１から出力されたアナログ信号が、Ａ／Ｄ変換されて８ビットのピクセルデータに変換され、画像の明るさに比例した８ビットデータとして、制御回路５０２に送られる。インターフェース制御回路５０４を経由して、自動２値化回路５０８に送られたピクセルデータは、自動２値化法である式（１−１）により２値画像へと変換される（図６の７３〜７５）。
【００４０】
2008164964.tif 000003
ここで、ｔは式（１−２）で与えられるしきい値、ｘ（ｎ）はｎ番目の画素の明るさ、Ｘ（ｎ）は２値化後の画素のデータを示す。
【００４１】
2008164964.tif 000004
ここで、ｍｉｎ[ｘ（ｎ）]はＣＭＯＳエリアセンサ１０２の全画素のうち最小値、ａｖｅ[ｘ（ｎ）]はＣＭＯＳエリアセンサ１０２の全画素の平均値、ｋは定数を示す。
【００４２】
ここで映像読取センサ１０１の撮影範囲の一部のみに照射された透過光は、記録材によって拡散される。その拡散程度は、光が透過する繊維の量に左右され、当該記録材の坪量によって異なる。記録材の有無による光拡散の比から光拡散率を算出し、比較することにより、当該記録材の坪量を判別することができる。
【００４３】
次に図７を用いて、光拡散率（光拡散率特性に相当）の算出方法について説明する。
【００４４】
図７（ａ）において、８０１は映像読取センサ１０１の撮影範囲を示し、撮影範囲の下半分８０１ｂ（明部に相当）にのみ光を当てた状態である。なお、８０１ａ（暗部に相当）は撮影範囲の上半分を示す。映像読取センサ１０１と透過用ＬＥＤ１０５との間に記録材１０４が無い場合、映像読取センサ１０１の縦方向位置（以下、センサ縦方向位置とする）Ａ−Ａ’における光量の変化は図７（ｂ）に示す８０２（点線）となる。なお、図７（ｂ）は、映像読取センサ１０１の下端（Ａ’）を原点としてセンサ縦方向位置Ａ’−Ａを横軸にとり、それぞれの位置に対する光量を縦軸にとったグラフである。上述の自動２値化法により２値化を行い、映像読取センサ１０１の端（以下、センサ端とする）から紙無し時しきい値ｔとの交点までの距離を紙無し拡散度（記録材無し光拡散度特性に相当）８０８とする。また映像読取センサ１０１と透過用ＬＥＤ１０５との間に薄紙が存在する場合、光量変化は８０３（実線）となる。同様に２値化を行い、センサ端から薄紙時しきい値ｔとの交点までの距離を記録材拡散度（記録材有り光拡散度特性に相当）８０９とする。これら紙無し拡散度８０８と記録材拡散度８０９との比を光拡散率（光拡散率特性に相当）と定義する。
【００４５】
2008164964.tif 000005
【００４６】
同様に映像読取センサ１０１と透過用ＬＥＤ１０５との間に厚紙が存在する場合、光量変化は図７（ｃ）に示す８０４（実線）となる。これは厚紙は繊維が圧縮されており、透過光を多く拡散させるためである。上述の自動２値化法により２値化を行い、センサ端から厚紙時しきい値ｔとの交点までの距離を記録材拡散度（記録材有り光拡散度特性に相当）８１０とし式（１−３）により光拡散率を算出する。
【００４７】
この比較によって、記録材の坪量を判別する。
【００４８】
ここでは、ＣＭＯＳエリアセンサ１０２の１ラインの光拡散率を当該記録材の光拡散率Ｆ１としたものの、ＣＭＯＳエリアセンサ１０２の全ラインの光拡散率を求め、総和や平均化処理したものを当該記録材の光拡散率Ｆ１としても良い。
【００４９】
次に、画像形成装置に備えられた印字条件制御手段たるＣＰＵ５０１による制御フローについて説明する。
【００５０】
ＣＰＵ５０１は演算回路５０５が演算した光拡散率演算結果値Ｆ１をレジスタＡ  ５０６より取得し、その結果をあらかじめＲＯＭやＥＥＰＲＯＭ等のメモリ（図示せず）に記憶してあるリファレンス値と比較することにより、記録材の種類を判別する。なお、ここでいうリファレンス値とは、記録材の種類が厚紙であるか、普通紙であるか、薄紙等の坪量の小さい記録材であるかを判別するための値であり、リファレンス値Ｒ１、Ｒ２（Ｒ１＞Ｒ２）に基づいて以下のように判別する。
【００５１】
ａ）Ｆ１≧Ｒ１          ・・・厚紙と判別
ｂ）Ｒ１＞Ｆ１≧Ｒ２    ・・・普通紙と判別
ｃ）Ｒ２＞Ｆ１          ・・・薄紙と判別
【００５２】
ＣＰＵ５０１は、判別した記録材に最適な、画像形成条件を設定する。
【００５３】
ＣＰＵ５０１は、給紙された記録材の種類に応じて定着ユニットの定着温度を変更するよう制御する。普通紙よりも厚みがある厚紙の場合、厚紙は普通紙より熱容量が大きいため普通紙と同じ定着温度にて厚紙にトナー像を定着させようとしても定着性が低下してしまうという問題がある。そこで、ＣＰＵ５０１は、記録材が厚紙であると判別した場合には、普通紙における定着温度よりも高い定着温度として、厚紙に対するトナーの定着性を確保するよう制御する。
【００５４】
さらに、ＣＰＵ５０１は、給紙された記録材の種類を判別し、その結果に応じて記録材の搬送速度を変更するように制御する。具体的には、記録材の種類が普通紙よりも厚みがある厚紙の場合、厚紙は普通紙より熱容量が大きいため普通紙と同じ搬送速度にて厚紙にトナー像を定着させようとしても定着性が低下してしまうという問題がある。そこで、ＣＰＵ５０１は記録材の種類が厚紙であると判別した場合は、単位時間あたりに厚紙に供給される熱量が大きくなるように、記録材の搬送速度を普通紙を通紙する場合の搬送速度よりも遅く設定する。
【００５５】
これまで説明したように本実施例では、映像読取センサ１０１により得られる記録材映像を二値映像に変換し、光拡散率を演算することにより記録材判別を行うことを特徴とする。
【００５６】
光拡散率においては、記録材を構成している繊維の特徴を容易に抽出することが可能であり、高い判別精度を得ることができる。
【実施例２】
【００５７】
実施例２は、映像読取センサ１０１により得られる記録材映像の信号処理方法以外の、基本的な構成は実施例１と同様であるため詳細な説明は省略する。前記自動２値化回路５０８によって変換された２値映像および生映像は演算回路５０５によって光透過率が算出される。図７を用いて、第二の演算方法である記録材の光透過率演算方法について説明する。
【００５８】
演算回路５０５は、映像読取センサ１０１の前に記録材が無い時に映像読取センサ１０１により読み取られ自動２値化回路５０８によって２値に変換された２値画像により、紙無し拡散度８０８を算出する（図７（ｂ））。この紙無し拡散度８０８は、映像読取センサ１０１の撮影範囲内にて透過光が照射されている領域を示している。演算回路５０５は、映像読取センサ１０１の生データのうち、紙無し拡散度８０８の領域の光量平均を算出し、紙無し透過光量（記録材無し透過光量特性に相当）８０５とする。同様に映像読取センサ１０１の前に記録材１０４を配置し、映像読取センサ１０１にて撮影を行う。映像読取センサ１０１のデータのうち、記録材拡散度８０９の領域の光量平均を算出し、記録材透過光量（記録材有り透過光量特性に相当）８０６とする。最後に演算回路５０５は下式（２−１）を用いて、記録材の光透過率特性を算出し、レジスタＢ（５０６）に保存する。
【００５９】
2008164964.tif 000006
ここで光透過率Ｆ２は、透過光が照射されている範囲のみで算出することが可能であるため、高い精度を得ることが可能となる。この光透過率Ｆ２から、記録材の坪量を判別する。
【００６０】
なお、図７（ｃ）において、８０７は映像読取センサ１０１の前に厚紙を配置した場合の記録材透過光量（記録材無し透過光量特性に相当）で、記録材拡散度８１０の領域の光量平均を算出したものである。
【００６１】
従来例では、映像読取センサ１０１の全画素を使用して光透過率を算出していたため、映像読取センサ１０１の撮影領域の一部のみに光を照射する構成においては誤差が大きい。しかしながら本実施例は、光照射手段からの光が照射された領域の画素のみを使用して、光透過率を算出する。そのため誤差を低減することが可能である。また、光照射手段が紙粉等で汚れ、照射光の一部が遮光された場合においても高い精度を維持することができる。
【実施例３】
【００６２】
実施例３は、記録材表面映像の信号処理方法以外の、基本的な構成は実施例１と同様であるため詳細な説明は省略する。本実施例では、前述の光拡散率Ｆ１および光透過率Ｆ２の二つの特徴量を同時に使用することを特徴とする。
【００６３】
図８に本実施例の概要を示す。この図は、横軸を光透過率Ｆ２とし、縦軸に光拡散率Ｆ１とした際の厚紙および普通紙の算出結果を模式的に示したものである。片方の特徴量だけでは、判別が困難な記録材同士であってもリファレンス値Ｒ（９０１）によって判別することができている。
【００６４】
ＣＰＵ５０１は演算回路５０５が演算した光拡散率Ｆ１をレジスタＡ  ５０６より取得し、その結果からリファレンス値Ｒ（９０１）を算出する。その後、リファレンス値Ｒ（９０１）と光透過率Ｆ２とを比較することにより、記録材の種類を判別する。
【００６５】
リファレンス値Ｒ＝ａ×光拡散率Ｆ１＋ｂ
ａ）Ｆ２≧Ｒ          ・・・普通紙と判別
ｂ）Ｒ＞Ｆ２          ・・・厚紙と判別
ここで、ａ，ｂは定数とする。
【００６６】
このように、本実施例では、光拡散率Ｆ１および光透過率Ｆ２の二つの特徴量を同時に使用することにより、記録材の坪量を高精度に抽出でき、記録材判別精度を向上することができる。
【図面の簡単な説明】
【００６７】
【図１】実施例１に係る映像読取センサの概略構成を示す模式的断面図
【図２】ＣＭＯＳエリアセンサによって読み取られる記録材の表面とＣＭＯＳエリアセンサからの出力をディジタル処理した例との関係を示す図
【図３】坪量と透過光量（センサ出力）の関係図
【図４】ＣＭＯＳエリアセンサの制御回路ブロック図
【図５】ＣＭＯＳエリアセンサの回路ブロック図
【図６】記録材の表面の映像をディジタル処理した画像（７０〜７２）と自動２値化法による２値画像への変換後（７３〜７５）を示す図
【図７】（ａ）は映像読取センサの撮影範囲を示す図、（ｂ）は実施例１及び実施例２に係る紙無し時と薄紙時の特徴量を示すグラフ、（ｃ）は実施例１及び実施例２に係る紙無し時と厚紙時の特徴量を示すグラフ
【図８】実施例３に係る厚紙と普通紙の光透過率と光拡散率の関係を示すグラフ
【符号の説明】
【００６８】
１０１    映像読取センサ
１０２    ＣＭＯＳエリアセンサ（映像読取手段に相当）
１０３    レンズ
１０４    記録材
１０５    透過用ＬＥＤ（光照射手段、発光素子に相当）
１０６    遮蔽板（遮蔽手段に相当）
５０１    ＣＰＵ（判別手段に相当）
５０２    制御回路
５０４    インターフェース制御回路
５０５    演算回路（抽出手段に相当）
５０６    レジスタＡ〜Ｄ
５０７    制御レジスタ
５０８    自動２値化回路
６０１    ＣＭＯＳセンサ部
６０２    垂直方向シフトレジスタ
６０３    垂直方向シフトレジスタ
６０４    出力バッファ
６０５    水平方向シフトレジスタ
６０６    システムクロック（ＳＹＳＣＬＫ）信号
６０７    タイミングジェネレータ
６０８    Ａ／Ｄコンバータ
６０９    出力インターフェース制御回路
６１０    Ｓｌ＿ｏｕｔ信号
６１１    制御回路
６１２    Ｓｌ＿ｉｎ信号
６１３    Ｓｌ＿ｓｅｌｅｃｔ信号
【図１】
2008164964.tif 000007
【図３】
2008164964.tif 000008
【図４】
2008164964.tif 000009
【図５】
2008164964.tif 000010
【図７】
2008164964.tif 000011
【図８】
2008164964.tif 000012
【図２】
2008164964.tif 000013
【図６】
2008164964.tif 000014